(57)【要約】【課題】ユーザの手間を要することなく、自動的に交流電源の極性を合わせることができる交流電源極性切替装置を提供する。【解決手段】ユーザがこの電気機器Ｂの主電源スイッチ５０の人体接触部５１に触れて主電源がオンになると、極性切替制御回路２２の制御により極性切替回路２１が極性の切替を開始する。電圧測定回路２３が少なくとも極性切替前と極性切替後との２回、電源電流供給ライン７０の電源ＧＮＤライン７１と、大地アース８０と間の電圧を測定する。そして、極性切替制御回路２２は、電圧測定回路２３が測定した極性切替後の電圧と、記憶部２４に記憶しておいた極性切替前の電圧とを比較し、電圧が小さいほうの極性に極性切替回路２１を切替えるように制御し、報知部２５によりする。正常に極性設定が完了したことをユーザに報知する。【選択図】図１
2012168083.tif 000002
【特許請求の範囲】
【請求項１】
入力される交流電源電流に基づく電流を直流電源電流に変換して電源電流供給ラインおよび主電源スイッチを介して回路基板に供給する電源回路と、
入力される前記交流電源の極性を切替える極性切替部と、
前記電源電流供給ラインの電源ＧＮＤラインと、前記主電源スイッチに設けられた人体接触部との間の電圧を測定する電圧測定部と、
前記主電源スイッチがオンになると、前記電圧測定部によって測定された電圧を記憶する記憶部と、
前記記憶部が前記電圧測定部によって測定された電圧を記憶した後に、前記極性切替部に対し前記交流電源の極性を切替えさせ、その後、前記電圧測定部に極性切替後の電源電流供給ラインの電源ＧＮＤラインと前記主電源スイッチの人体接触部との間の電圧を測定させ、その極性切替後の電圧と、前記記憶部に記憶された極性切替前の電圧との大きさを比較し、前記記憶部に記憶された極性切替前の電圧が前記極性切替後の電圧より小さい場合は、さらに前記極性切替部に対し前記交流電源の極性を切替えさせるように前記交流電源の極性切替えを制御する極性切替制御部と、
を有することを特徴とする交流電源極性切替装置。
【請求項２】
請求項１記載の交流電源極性切替装置において、
入力される前記交流電源を、前記電気機器に応じた電源電圧に変圧する内部トランスを有し、
前記電源回路が変換する電流は、前記内部トランスによって変圧された交流電源電流であることを特徴とする交流電源極性切替装置。
【請求項３】
請求項１または請求項２に記載の交流電源極性切替装置において、
前記極性切替制御部は、
前記交流電源の極性切替えの制御を実行した場合、前記交流電源の極性切替えの制御を実行したことを報知部を通じてユーザに報知する、
ことを特徴とする交流電源極性切替装置。
【請求項４】
請求項１〜請求項３のいずれか１項に記載の交流電源極性切替装置において、
入力される前記交流電源電流は、コンセントに差し込まれるＡＣプラグから入力される交流電源電流であり、
前記コンセントに対する前記ＡＣプラグの抜差しを検出するＡＣプラグ抜差し検出部をさらに有し、
前記極性切替制御部は、
前記ＡＣプラグ抜差し検出部によって前記コンセントから前記ＡＣプラグが抜かれたことが検出され、次いで前記コンセントに前記ＡＣプラグが差されたことが検出された場合、前記交流電源の極性切替えの制御が実行されていないことを報知部を通じてユーザに報知する、
ことを特徴とする交流電源極性切替装置。
【発明の詳細な説明】
【技術分野】
【０００１】
本発明は、コンセントに差し込まれたＡＣプラグから入力される交流電源電流を直流電源電流に変換して電源電流供給ラインおよび主電源スイッチを介して回路基板に供給するオーディオ機器等の電気機器内に設けられる交流電源極性切替装置に関する。
【背景技術】
【０００２】
従来、交流電源の家庭用コンセントの大地アースを識別する方法として、通常は、屋内配線の配線工事の決まりからコンセントの差し込み口に向かって左側が大地アース、もしくはコンセントの差込み口の左右の長さで認識可能であるが、工事上のミス等があった場合、極性が逆になったまま利用することになる。
【０００３】
ところで、近年のオーディオ機器等の電気機器は、入力商用交流電源の大地アース極性を意識して設計されている物が多い。設計の意図した通りに電源アースが接続されていないと、装置内の電流の流れが悪くなる等して、音質悪化の原因となり、メリハリの無い音が出るとか、音に歪み感が出るとか、定位がはっきりしないなど、音質が悪い方向にいくことが多い。
【０００４】
そのため、オーディオ機器を設置する際には、装置のプラグの極性表示マークに合わせてコンセントを差し込むことや、また、極性表示マークが無いオーディオ機器であれば、交流電圧テスターなどを利用してオーディオ機器のＧＮＤと大地アースとの電圧を測定するなどし、交流電源の大地アース極性を合わせていた。
【０００５】
また、延長コードなどによりコンセントをユーザが延長した場合、延長コードに印してある極性表示用マークを意識してプラグに差し込まなければならず、延長コードに極性表示用マークが無い場合は、検電器により大地アース極性の位置を識別していた。
【０００６】
このような問題を解決するために、例えば、交流電源の大地アース極性を自動で切替える交流電源大地極性自動選択装置が提案されている（例えば、特許文献１参照。）。
【先行技術文献】
【特許文献】
【０００７】
【特許文献１】特開平４−１６５９２３号公報
【発明の概要】
【発明が解決しようとする課題】
【０００８】
しかしながら、交流電圧テスターや検電器等を使用して交流電源の大地アース極性を合わせることは可能であるが、ユーザの手間を要するため、なかなか実施されない場合がある、という問題がある。また、交流電源の大地アース極性についての知識が無いユーザについては、ほとんど実施されていない、という問題もある。
【０００９】
また、前述の特許文献１に記載された電源大地極性自動選択装置でも、大地アース極性を自動的に切替えることは可能であるが、装置のフレームアースが大地アースに供給されている状態であること、またはコンセント及びプラグが３極端子の場合、コンセントから出力されるアースに３極端子プラグのアースが接続されることにより実施されることが前提である。そのため、例えば、オーディオ装置が振動を抑制するためにゴムのインシュレータなどを利用していた場合は装置を置いただけでは装置のフレームアースが大地アースに供給されることは無く、また３極端子においても工事上のミスによりＧＮＤラインが大地アース接続されているとは限らない。よって、これもまたユーザが気にしていなければ正常に動作されず、ユーザの手間を要するものであった。
【００１０】
さらに、前述の特許文献１に記載された電源大地極性自動選択装置において、交流電源の極性が自動的に変わったとしても、ユーザ側からすると実際に極性が変わったのかがわからない、という問題もある。
【００１１】
そこで、本発明は、これらの課題を解決するためになされたもので、ユーザの手間を要することなく、自動的に交流電源の極性を合わせることができる交流電源極性切替装置を提供することを目的とする。
【課題を解決するための手段】
【００１２】
前記課題を解決するため、本発明に係る交流電源極性切替装置の第１の特徴は、入力される交流電源電流に基づく電流を直流電源電流に変換して電源電流供給ライン（７０）および主電源スイッチ（５０）を介して回路基板（６０）に供給する電源回路（４０）と、入力される前記交流電源の極性を切替える極性切替部（２１）と、前記電源電流供給ライン（７０）の電源ＧＮＤライン（７１）と前記主電源スイッチ（５０）に設けられた人体接触部（５１）との間の電圧を測定する電圧測定部（２３）と、前記主電源スイッチ（５０）がオンになると、前記電圧測定部（２３）によって測定された電圧を記憶する記憶部（２４）と、前記記憶部（２４）が前記電圧測定部（２３）によって測定された電圧を記憶した後に、前記極性切替部（２１）に対し前記交流電源の極性を切替えさせ、その後、前記電圧測定部（２３）に極性切替後の電源電流供給ライン（７０）の電源ＧＮＤライン（７１）と前記主電源スイッチ（５０）の人体接触部（５１）との間の電圧を測定させ、その極性切替後の電圧と、前記記憶部（２４）に記憶された極性切替前の電圧との大きさを比較し、前記記憶部（２４）に記憶された極性切替前の電圧が前記極性切替後の電圧より小さい場合は、さらに前記極性切替部（２１）に対し前記交流電源の極性を切替えさせるように前記交流電源の極性切替えを制御する極性切替制御部（２２）と、を有することにある。
【００１３】
また、本発明に係る交流電源極性切替装置の第２の特徴は、前記交流電源極性切替装置が、入力される前記交流電源を、前記電気機器に応じた電源電圧に変圧する内部トランス（３０）を更に有し、前記電源回路（４０）が変換する電流が、前記内部トランス（３０）によって変圧された交流電源電流である、ことにある。
【００１４】
また、本発明に係る交流電源極性切替装置の第３の特徴は、前記交流電源極性切替装置において、前記極性切替制御部（２２）が、前記交流電源の極性切替えの制御を実行した場合、前記交流電源の極性切替えの制御を実行したことを報知部（２５）を通じてユーザに報知する、ことにある。
【００１５】
また、本発明に係る交流電源極性切替装置の第４の特徴は、前記交流電源極性切替装置において、入力される前記交流電源電流が、コンセント（１０４）に差し込まれるＡＣプラグ（１０）から入力される交流電源電流であり、前記交流電源極性切替装置が、前記コンセント（１０４）に対する前記ＡＣプラグ（１０）の抜差しを検出するＡＣプラグ抜差し検出部（２６）をさらに有し、前記極性切替制御部（２２）が、前記ＡＣプラグ抜差し検出部（２６）によって前記コンセント（１０４）から前記ＡＣプラグ（１０）が抜かれたことが検出され、次いで前記コンセント（１０４）に前記ＡＣプラグ（１０）が差されたことが検出された場合、前記交流電源の極性切替えの制御が実行されていないことを報知部（２５）を通じてユーザに報知する、ことにある。
【発明の効果】
【００１６】
本発明に係る交流電源極性切替装置によれば、オーディオ機器等に家庭内コンセントから交流電源を供給する場合、宅内のコンセントの極性が間違っていたり、または電源極性について知識の無いユーザでも、電源を入れるだけで電源極性を自動的に合わせることが可能となる。
【図面の簡単な説明】
【００１７】
【図１】本発明に係る交流電源極性切替装置の実施例１の構成例を示すブロック図である。
【図２】本発明に係る交流電源極性切替装置の実施例１の動作例を示すフローチャートである。
【図３】本発明に係る交流電源極性切替装置の実施例２の構成例を示すブロック図である。
【図４】本発明に係る交流電源極性切替装置の実施例２の動作例を示すフローチャートである。
【発明を実施するための形態】
【００１８】
以下、本発明に係る交流電源極性切替装置の実施例１，２について説明する。なお、以下の説明では、本発明に係る交流電源極性切替装置が設けられる電気機器として、コンセントに差し込まれたＡＣプラグから入力される交流電源電流を内部トランスにより電気機器に応じた電源電圧に変圧し、その変圧された交流電源電流を電源回路により直流電源電流に変換して電源電流供給ラインおよび主電源スイッチを介して回路基板に供給するオーディオ機器を一例に説明する。
【００１９】
オーディオ機器等の電気機器は、交流電源のアース（ＧＮＤ）の極性を意識して設計されている物が多くある。そのため、交流電源の極性が大きく影響するオーディオ機器に対して、本発明に係る交流電源極性切替装置を導入することで、ユーザは手間を要することなく交流電源の極性を自動的に切替えて、設計者の意図する音質を提供することが可能となる。ただし、本発明に係る交流電源極性切替装置は、オーディオ機器に限定されることはなく、他の電気機器に適用するようしても勿論よい。
【実施例１】
【００２０】
以下、本発明に係る交流電源極性切替装置の実施例１について、図面を参照して詳細に説明する。
【００２１】
実施例１の交流電源極性切替装置では、ユーザがオーディオ機器の主電源のスイッチを押すことで、ユーザの人体と大地アースが結線され、内部回路のアース（ＧＮＤ）と大地アース間の電圧を測定し、ＬＥＤ表示部や液晶表示などによりユーザに対し極性切替処理完了を知らせた後、ユーザは主電源スイッチから手を離すことで、極性切替えを電源投入と同時に終了するようにしたものである。
【００２２】
図１は、本発明に係る交流電源極性切替装置の実施例１の構成例を示すブロック図である。
【００２３】
図１において、まず、宅内Ａ側には、柱上トランス１０１と、積算電力計１０２と、ノーヒューズブレーカー１０３と、コンセント１０４等が設けられている。
【００２４】
また、図１において、オーディオ機器等の電気機器Ｂ側には、ＡＣプラグ１０と、実施例１の交流電源極性切替装置２０と、内部トランス３０と、電源回路４０と、主電源スイッチ５０と、回路基板６０とを有する。
【００２５】
内部トランス３０は、交流電源極性切替装置２０の極性切替回路２１を介した交流電源電流を変圧するものである。
【００２６】
電源回路４０は、内部トランス３０によって変圧された交流電源電流を、この電気機器Ｂの回路基板６０に応じた所定電圧の直流電源電流に変換し、電源電流供給ライン７０を介して回路基板６０に供給する回路で、整流回路４１と、定電圧回路４２とを有している。
【００２７】
主電源スイッチ５０は、電源電流供給ライン７０上に設けられ、ユーザが、主電源スイッチ５０をオンまたはオフ操作することにより回路基板６０への直流電源電流の供給または停止を制御するものである。人体接触部５１は、主電源スイッチ５０上に設けられており、詳細には、ユーザが主電源スイッチ５０をオンまたはオフ操作する際に、触れるような位置に設けられている。なお、人体の安全性を確保するために、人体接触部５１は、電源電流供給ライン７０のプラス側電源電流供給ライン７２から電気的に絶縁されている。
【００２８】
回路基板６０は、このオーディオ機器等の電気機器Ｂの制御回路や動作回路等の電子・電気回路が搭載された回路基板である。
【００２９】
実施例１の交流電源極性切替装置２０は、極性切替回路２１と、極性切替制御回路２２と、電圧測定回路２３と、記憶部２４と、報知部２５等を有している。
【００３０】
極性切替回路２１は、コンセント１０４に差し込まれたＡＣプラグ１０より入力される交流電源の極性を切替えるものである。
【００３１】
極性切替制御回路２２は、極性切替部２１に対し交流電源の極性を切替えさせる。極性切替制御回路２２は、電圧測定回路２３に極性切替前の電源回路４０のマイナス側の出力端あるいは電源電流供給ライン７０のマイナス側電源電流供給ラインである電源ＧＮＤライン７１と、主電源スイッチ５０の人体接触部５１をユーザが触れた際の当該ユーザの人体を介した大地アース８０との間の電圧と、極性切替後の同電圧とを測定させる。当該極性切替後の同電圧と、記憶部２４に記憶された極性切替前の同電圧との大きさを比較する。そして、記憶部２４に記憶された極性切替前の同電圧が交流電圧測定部２３によって測定された極性切替後の同電圧より小さい場合のみ、さらに極性切替回路２１に対し交流電源の極性を切替えさせるように交流電源の極性切替えを制御する。つまり、ユーザがこの電気機器Ｂの主電源スイッチ５０の人体接触部５１に触れて主電源をオンしている間に、極性切替制御回路２２の制御により極性切替回路２１が極性の切替を行う。電圧測定回路２３が少なくとも極性切替前と極性切替後との２回、電源ＧＮＤライン７１と大地アース８０と間の電圧を測定して比較する。そして、極性切替制御回路２２は、電圧が小さいほうの極性に切替えるように極性切替回路２１を制御する。ここで、極性切替制御回路２２は、交流電源の電源極性を、極性切替前と極性切替後との同電圧のうち小さい方の電圧の極性に設定する。なぜなら、電源回路４０のマイナス側の出力端あるいは電源電流供給ライン７０の電源ＧＮＤライン７１と主電源スイッチ５０の人体接触部５１および人体を介した大地アース８０との間の電圧が小さいということは、交流電源のアース（ＧＮＤ）の極性、すなわちＡＣプラグ１０の電源極性を正しく合わせることができたということだからである。
【００３２】
電圧測定回路２３は、極性切替制御回路２２からの制御信号に基づいて、極性切替前と極性切替後との２回、電源回路４０のマイナス側の出力端あるいは電源電流供給ライン７０のマイナス側電源電流供給ラインである電源ＧＮＤライン７１と、主電源スイッチ５０の人体接触部５１をユーザが触れた際の当該ユーザの人体を介した大地アース８０との間の電圧を測定する。つまり、実施例１では、ユーザがこの電気機器Ｂの主電源スイッチ５０の人体接触部５１に触れて主電源をオンしている間に、極性切替回路２１が交流電源の極性の切替を行い、電圧測定回路２３が少なくとも交流電源の極性切替前と極性切替後との２回、電圧を測定する。
【００３３】
記憶部２４は、交流電圧測定部２３によって測定された極性切替前の電圧等を記憶するもので、不揮発性メモリや、バックアップ電源やバッテリ（電池）等により電源をバックアップされた揮発性メモリ等により構成されている。
【００３４】
報知部２５は、実施例１による交流電源の極性切替えが正しく行われたこと等をＬＥＤの点灯やメッセージの表示、さらには警告音等の音声により報知するもので、ＬＥＤ表示部や液晶表示部、音声出力回路等から構成されている。
【００３５】
次に、以上のように構成された実施例１の交流電源極性切替装置の動作について説明する。
【００３６】
まず、図１に示すように、ユーザがＡＣプラグ１０をコンセント１０４に差し込む。すると、柱上トランス１０１にて公称６６００Ｖの交流電源電流を、１００Ｖや２００Ｖの交流電源電流に変圧して、積算電力計１０２、ノーヒューズブレーカー１０３、コンセント１０４、ＡＣプラグ１０、ヒューズ１１２を介して、本発明に係る交流電源極性切替装置２０の極性切替回路２１に供給する。
【００３７】
極性切替回路２１は、最初は、初期極性状態である極性切替前の交流電源電流を内部トランス３０へ送る。
【００３８】
内部トランス３０は、極性切替回路２１を介した初期極性状態である極性切替前の交流電源電流の電圧を、この電気機器Ｂの回路基板６０に使用電圧に適した所定電圧に変圧し、電気機器Ｂの電源回路４０へ送る。
【００３９】
電源回路４０では、まず整流回路４１が内部トランス３０にてこの電気機器Ｂの回路基板６０に適した所定電圧に変圧された交流電源電流を、いわゆる脈流電圧の直流電流に整流する。次いで定電圧回路４２がその脈流電圧の直流電流を定電圧化して、直流電源電流に変換して電源電流供給ライン７０へ出力する。ただし、この状態では、ユーザが主電源スイッチ５０の人体接触部５１に触れてなく、電源電流供給ライン７０および主電源スイッチ５０を介して回路基板６０に、直流電源電流が供給されていないものとする。
【００４０】
そして、ユーザが主電源スイッチ５０の人体接触部５１に触れてオンする。すると、電源電流供給ライン７０および主電源スイッチ５０を介して回路基板６０へ所定定電圧の直流電源電流が供給され、この電気機器Ｂの電源が入力することになる。なお、ここまでは、交流電源電流が極性切替回路２１を介して供給される点以外は、通常の電気機器Ｂにおける動作と同じである。
【００４１】
次に、実施例１の交流電源極性切替装置２０が交流電源極性の動作を、図２のフローチャートを参照して説明する。
【００４２】
まず、ユーザがこの電気機器Ｂの主電源スイッチ５０の人体接触部５１に触れて、主電源スイッチ５０をオンする。すると、極性切替開始信号ライン７３に回路基板６０へ供給される所定電圧の直流電源電流と同じ電圧が印加される。そして、極性切替開始信号ライン７３への電圧印加に基づいて実施例１の交流電源極性切替装置２０がオンして、実施例１の極性切替処理を開始する（Ｓ１００）。なお、本実施例１では、極性切替開始信号ライン７３は、図1に示すように、２本、すなわち定電圧回路４２と主電源スイッチ５０との間の電源電流供給ライン７０の＋側のラインと、主電源スイッチ５０と回路基板６０との間の電源電流供給ライン７０の＋側のラインから交流電源極性切替装置２０に引かれている。この２本の極性切替開始信号ライン７３により、交流電源極性切替装置２０は、ＡＣプラグ１０の抜き差しなのか、ユーザー操作による主電源スイッチ５０の電源ＯＮ、ＯＦＦなのかを識別することができる。
【００４３】
具体的には、実施例１の交流電源極性切替装置２０では、極性切替制御回路２２が交流電源極性切替え動作を制御しており、極性切替制御回路２２は、まず、記憶部２４をリセットする（Ｓ１１０）。
【００４４】
ここで、ユーザがこの電気機器Ｂの主電源スイッチ５０をオンする。これにより、この電気機器Ｂの主電源スイッチ５０の人体接触部５１にユーザが触れてオンしているので、人体接触部５１にユーザの人体が触れ、人体接触部５１および人体を介して、電圧測定回路２３が大地アース８０に結線されることになる。
【００４５】
そのため、電圧測定回路２３は、電気機器Ｂの回路基板６０へ供給される電源電流供給ライン７０のマイナス側電源電流供給ラインである電源ＧＮＤライン７１と、主電源スイッチ５０の人体接触部５１および人体を介した大地アース８０との間の電圧を測定する（Ｓ１３０）。
【００４６】
そして、極性切替制御回路２２は、電圧測定回路２３が電源電流供給ライン７０の電源ＧＮＤライン７１と大地アース８０との間の電圧を正しく測定しているか等、電圧測定に問題が無いか否かを判定する（Ｓ１４０）。
【００４７】
ここで、例えば、主電源スイッチ５０の人体接触部５１に人体が触れていない等の理由で、電圧測定回路２３が電源電流供給ライン７０の電源ＧＮＤライン７１と大地アース８０との間の電圧を測定できなかったり、人体が正しく大地アース８０に接触せずに正しくその電圧を測定していない場合（Ｓ１４０“問題有り”）、Ｓ１５０へ進む。そして、報知部２５にエラー表示や音声を出力するように制御信号を出力して、ユーザに再度、主電源スイッチ５０の入れ直しを促すようにする。そして、Ｓ１００へ戻る。
【００４８】
これに対し、極性切替制御回路２２は、電圧測定回路２３が電源電流供給ライン７０の電源ＧＮＤライン７１と大地アース８０との間の極性切替前の電圧を正しく測定したものと判断した場合（Ｓ１４０“問題無し”）、Ｓ１６０へ進む。そして、その極性切替前の電圧と、極性切替回路２１における極性切替の向きとを記憶部２４へ保存する（Ｓ１６０）。ここで、記憶部２４は、極性切替前の電圧を記憶することは必須であるが、極性切替回路２１における極性切替の向きを記憶することは任意で、極性切替回路２１における極性切替の向きを記憶しなくても勿論よい。なお、記憶部２４が不揮発性メモリであれば、バックアップ電源又はバッテリ（電池）などは不要であるが、記憶部２４が揮発性のメモリであれば、バックアップ電源又はバッテリ（電池）などにより電源が落ちても記憶内容を消さないように記憶しておく。
【００４９】
次に、極性切替制御回路２２は、極性切替回路２１に対し極性切替制御信号を送り、極性切替回路２１を制御して、初期極性状態の交流電源極性をその初期極性状態の極性とは逆極性の逆極性状態に切替えさせる（Ｓ１７０）。つまり、極性切替回路２１は、その内部で、ＡＣプラグ１０からの交流電源電流のプラスとマイナスとを逆に入れ替えて内部トランス３０に出力する。
【００５０】
次に、極性切替制御回路２２は、その逆極性状態において、電圧測定回路２３に対し電圧測定制御信号を送する。そして、再度、電圧測定回路２３が電源電流供給ライン７０の電源ＧＮＤライン７１と、主電源スイッチ５０の人体接触部５１および人体を介した大地アース８０との間の電圧、すなわち極性切替後の逆極性状態の電圧を測定させる（Ｓ１８０）。
【００５１】
そして、極性切替制御回路２２は、逆極性状態において電圧測定回路２３が測定した極性切替後の電圧と、記憶部２４内に記憶しておいた初期極性状態における極性切替前の電圧とを比較する。極性切替前の電圧が極性切替後の電圧以上であるか否かを判断する（Ｓ１９０）。ここで、極性切替制御回路２２は、極性切替後の同電圧より、記憶部２４に記憶しておいた極性切替前の同電圧の方が小さいと判断した場合（Ｓ１９０“Ｎｏ”）、極性切替回路２１に対し極性切替制御信号を送り極性切替回路２１を制御して、逆極性状態にある交流電源極性を、初期極性状態の極性切替前の極性に切替えさせる（Ｓ２００）。これにより、極性切替回路２１における交流電源極性は、最初の初期極性状態に戻ることになる。
【００５２】
これに対し、極性切替制御回路２２は、記憶部２４に記憶しておいた極性切替前の同電圧が、極性切替後の同電圧以上であると判断した場合（Ｓ１９０“Ｙｅｓ”）、Ｓ２００の極性切替え処理は実行しないで、Ｓ２１０へ進む。
【００５３】
そして、Ｓ２１０において、極性切替制御回路２２は、ＬＥＤ表示部や液晶表示等の報知部２５に制御信号を出力して、極性切替が無事に終了したことをメッセージ表示や音声出力等により出力させて、ユーザに報知させる（Ｓ２１０）。以上により、交流電源の極性切替動作を終了する（Ｓ２２０）。
【００５４】
なお、極性切替中は人体接触部１０６に人体が接触していることが前提のため、極性切替制御回路２２は、報知部２５に人体接触部５１から人体を離さないよう注意を促す。例えば、ＬＥＤ表示部や液晶表示部であれば極性切替中は点滅させたり、切替終了後に点灯や消灯するなどの表示を行うようにすると良い。また、報知部２５が音声出力回路であれば、人体接触部５１から人体を離さないよう注意を促すため、勝手に離したら警告音を出力するようにしても良い。
【００５５】
従って、実施例１の交流電源極性切替装置２０によれば、ユーザがオーディオ機器等の電気機器Ｂの主電源スイッチ５０の人体接触部５１に触れて主電源をオンしている間に、極性切替制御回路２２の制御により極性切替回路２１が極性の切替を行い、電圧測定回路２３が少なくとも極性切替前と極性切替後との２回、電源ＧＮＤライン７１と人体接触部５１および人体を介した大地アース８０と間の電圧を測定して比較する。そして、電圧が小さいほうの極性に極性切替回路２１を切替える。これにより、宅内Ａ側のコンセント１０４の極性が間違っていたり、または電源極性について知識の無いユーザでも、主電源スイッチ５０の人体接触部５１に触れて電源を入れるだけで、電源極性を自動的に合わせることが可能となる。
【００５６】
その結果、電気機器Ｂがオーディオ機器であれば、ユーザの手間を要することなく、設計者の意図した通りの交流電源の極性が確保され、音質悪化の原因が取り除かれた、設計者の意図した通りの音質を再生することができる。また、主電源スイッチ５０上に人体接触部５１を設けるとともに、主電源スイッチ５０がオンされたことをきっかけとして、極性切替えの制御を実行するようにしているため、極性切り替え制御のためだけにユーザの手間を要することがない。
【実施例２】
【００５７】
次に、本発明に係わる実施例２の交流電源極性切替装置２０’について説明する。
【００５８】
図３は、実施例２の交流電源極性切替装置２０’の構成例を示すブロック図である。
【００５９】
図３において、実施例２の交流電源極性切替装置２０’は、図１に示す実施例１の交流電源極性切替装置２０に対し、さらに、ＡＣプラグ抜差し検出回路２６を追加する。また、交流電源極性切替装置２０’は、極性切替制御回路２２’に実施例１の極性切替制御回路２２の機能の他にＡＣプラグ１０抜差し時の極性切替報知機能を追加したものである。それ以外の構成は、実施例１の交流電源極性切替装置２０と同様である。
【００６０】
ここで、実施例１の交流電源極性切替装置２０の構成と異なる点について説明する。ＡＣプラグ抜差し検出回路２６は、例えば、極性切替開始信号ライン７３に流れ、この電気機器Ｂの回路基板６０へ供給される直流電源電圧の変化によりＡＣプラグ１０の抜き差しを検出し、検出結果を極性切替制御回路２２’へ通知するものである。
【００６１】
また、極性切替制御回路２２’は、実施例１の交流電源極性切替装置２０と同様に極性切替えを行う。また、極性切替制御回路２２’は、その極性切替え処理後、ＡＣプラグ抜差し検出回路２６から主電源スイッチ５０がオンのままＡＣプラグ１０の抜き差しが実行されたことを通知される。この場合、再度、極性切替え処理を実施させるように報知部２５を通じてユーザに報知させる。なお、極性切替制御回路２２’は、その報知の際、ユーザに確実に極性切替え処理を実行させるため、主電源スイッチ５０の人体接触部５１に触れて電気機器Ｂの電源をオンするようにユーザに報知する。これにより、確実に実施例１の極性切替え処理が実施される。
【００６２】
このように、実施例１と実施例２とでは、ＡＣプラグ抜差し検出回路２６を追加すると共に、極性切替制御回路２２’に実施例１の極性切替制御回路２２の機能の他にＡＣプラグ１０抜差し時の極性切替報知機能を追加した点が異なる。以下、これらの実施例２特有の動作について説明する。
【００６３】
図４は、実施例２の交流電源極性切替装置２０’におけるＡＣプラグ１０を抜差した場合の極性切替報知動作を示すフローチャートである。
【００６４】
なお、この図４に示す実施例２の交流電源極性切替装置２０’におけるＡＣプラグ１０を抜差した場合の動作は、図２に示す実施例１の交流電源極性切替装置２０による交流電源極性切替処理後に実行される動作である。
【００６５】
まず、実施例２の交流電源極性切替装置２０’では、図２に示す実施例１の交流電源極性切替装置２０と同様の交流電源極性の切替処理を終了する（Ｓ４００）。その後、極性切替制御回路２２’の制御によりＡＣプラグ抜差し検出回路２６が、例えば、極性切替開始信号ライン７３を介して電気機器Ｂの回路基板６０へ供給される直流電源電圧の変化を検出する（Ｓ４１０）。ＡＣプラグ抜差し検出回路２６は、電源電圧に変化が無いか否か、すなわちＡＣプラグ１０が抜かれないか否かを判断する（Ｓ４２０）。なお、ＡＣプラグ抜差し検出回路２６は、コンセント１０４からのＡＣプラグ１０の取り外しを検出できればよい。よって、ＡＣプラグ抜差し検出回路２６は、極性切替開始信号ライン７３を介して電気機器Ｂの回路基板６０へ供給される直流電源電圧の変化を検出してくてもよい。ＡＣプラグ抜差し検出回路２６は、ＡＣプラグ１０や内部トランス３０、あるいは電源回路４０等における電源電圧の変化を検出することにより、ＡＣプラグ１０の取り外しを検出するようにしても勿論よい。
【００６６】
ここで、図２に示す実施例１の交流電源極性切替装置２０と同様の交流電源極性自動切替動作後、コンセント１０４からＡＣプラグ１０が取外された場合、この電気機器Ｂへの交流電圧入力が無くなる。その結果、電源回路４０へも内部トランス３０によって変圧された交流電源電流が入力されず、電源回路４０から電源電流供給ライン７０および主電源スイッチ５０を介して回路基板６０へ直流電源電流も供給さない。そのため、電源電流供給ライン７０のプラス側電源電流供給ライン７２に接続された極性切替開始信号ライン７３にも直流電流が流れない。
【００６７】
そのため、ＡＣプラグ抜差し検出回路２６は、極性切替開始信号ライン７３に印加されている直流電源電流の変化を検出して（Ｓ４２０“変化有り”）、記憶部２４にＡＣプラグ１０が抜かれたという情報を記憶する（Ｓ４３０）。ここで、記憶部２４は、不揮発性メモリであれば、バックアップ電源又はバッテリ（電池）は不要である。しかし、記憶部２４が、揮発性メモリ等から構成されている場合には、バックアップ電源又はバッテリ（電池）などで電源を供給しておく。なお、ＡＣプラグ抜差し検出回路２６が記憶部２４へＡＣプラグ１０が抜かれたという情報を記憶する処理は、ＡＣプラグ１０が抜かれ後、差されたということをＡＣプラグ抜差し検出回路２６から極性切替制御回路２２’に対し直接通知できるのであれば、省略しても勿論よい。
【００６８】
次に、ＡＣプラグ１０がコンセント１０４に接続され、この電気機器Ｂが電源オンされる。すると、電源回路４０へも内部トランス３０によって変圧された交流電源電流が供給され、主電源スイッチ５０がオン状態になる。これにより、電源回路４０から電源電流供給ライン７０および主電源スイッチ５０を介して回路基板６０へ直流電源電流も供給される。
【００６９】
すると、ＡＣプラグ抜差し検出回路２６が電源電流供給ライン７０のプラス側電源電流供給ライン７２に接続された極性切替開始信号ライン７３を介し直流電源電流の変化を検出する（Ｓ４４０“変化有り”）。ＡＣプラグ抜差し検出回路２６は、ＡＣプラグ１０がコンセント１０４に接続されたことを極性切替制御回路２２’に通知する。
【００７０】
極性切替制御回路２２’は、ＡＣプラグ抜差し検出回路２６からＡＣプラグ１０がコンセント１０４に接続されたことを通知される。極性切替制御回路２２’は、記憶部２４に記憶されたＡＣプラグ１０が抜かれたという情報を参照して、主電源スイッチ５０がオンの最中にＡＣプラグ１０がいったん抜かれ、再度差されたものと判断する。そして、極性切替制御回路２２’は、報知部２５にワーニング表示やメッセージ表示などを出力させて、交流電源の極性チェックが行われていないことをユーザに報知する（Ｓ４５０）。
【００７１】
すると、報知部２５は、ワーニング表示やメッセージ表示、さらには警告音等により、ユーザに対し主電源スイッチ５０から電気機器Ｂの電源をオンするように促す。ユーザはその報知部２５のワーニング表示やメッセージ表示、警告音等を参照することにより、主電源スイッチ５０の人体接触部５１に触れる。これにより、図２に示す前記実施例１の交流電源極性切替処理と同様の処理を実行して、電源極性を最良の状態に自動的に切替える。
【００７２】
これで、実施例２の交流電源極性切替装置２０におけるＡＣプラグ１０抜差し時の極性切替報知処理が終了する（Ｓ４６０）。
【００７３】
従って、実施例２の交流電源極性切替装置２０によれば、実施例１の交流電源極性切替装置２０と同様の効果が得られる。また、交流電源極性切替え後、主電源スイッチ５０がオンのまま、ＡＣプラグ１０の抜き差しが実行された場合、ユーザに対して、再度、実施例１の交流電源極性切替装置２０と同様に極性切替えを実行させるように報知部２５を通じてユーザに報知する。このように、主電源スイッチ５０を用いて再度電源を入れ直すことを促すことにより、ユーザに電源極性自動切換えを再度実行させるようにする。これにより、ＡＣプラグ１０が抜かれ、その向きが変わり、交流電源の極性の向きが正しく無いまま、この電気機器Ｂがリモコン等で電源オンされることを防止することができる。
なお、本実施例においては、２本の極性切替開始信号ライン７３を設けて、主電源スイッチ５０がオンのままでも、ＡＣプラグ１０が抜かれたことを検出できるようにしたが、主電源スイッチ５０と定電圧回路４２との間のプラス側電源電流供給ライン７２のみに極性切替開始信号ライン７３を設けるようにしてもよい。主電源スイッチ５０がオフのときにＡＣプラグ１０が抜かれることが多いため、このように構成しても、ＡＣプラグ１０が抜かれたことを検出できる。
【符号の説明】
【００７４】
１０  ＡＣプラグ
２０，２０’  極性切替制御装置
２１  極性切替回路（極性切替部）
２２  極性切替制御回路（極性切替制御部）
２３  電圧測定回路（電圧測定部）
２４  記憶部
２５  報知部
２６  ＡＣプラグ抜差し検出部
３０  内部トランス
４０  電源回路
５０  主電源スイッチ
５１  人体接触部
６０  回路基板
７０  電源電流供給ライン
７１  電源ＧＮＤライン（マイナス側電源電流供給ライン）
７２  プラス側電源電流供給ライン
７３  極性切替開始信号ライン
１０１  柱上トランス
１０２  積算電力計
１０３  ノーヒューズブレーカー
１０４  コンセント
【図１】
2012168083.tif 000003
【図２】
2012168083.tif 000004
【図３】
2012168083.tif 000005
【図４】
2012168083.tif 000006